【手続補正書】
【提出日】平成19年6月19日(2007.6.19)
【手続補正１】
【補正対象書類名】明細書
【補正対象項目名】特許請求の範囲
【補正方法】変更
【補正の内容】
【特許請求の範囲】
【請求項１】
それぞれ撮像装置を備える複数のホスト端末装置と，
該複数のホスト端末装置と接続され，前記複数のホスト端末装置の属性を登録するサーバーを有し，
前記複数のホスト端末装置の各々は，前記撮像装置で撮像される画像データを前記サーバーに送出し，他のホスト端末装置から送出される画像データを前記サーバーより所定周期で収集し，
該収集される画像データを前記サーバーに登録された前記複数のホスト端末装置の属性に従って仮想３次元空間に配置し，前記仮想３次元空間を２次元面に投影して得られる２次元画面上の対応位置に表示するように構成され，
更に，前記所定周期は，前記収集される画像データの前記仮想３次元空間に配置される位置または大きさに対応して変更される，
ことを特徴とする画像表示システム。
【請求項２】
請求項１において，
前記複数のホスト端末装置の属性は，当該ホスト端末装置の属するグループ，当該ホスト端末装置に登録した遊戯者の遊戯者データを含むことを特徴とする画像表示システム。
【請求項３】
請求項１において，
前記複数のホスト端末装置の各々は，前記画面上でグループを特定することにより，当該グループに属するホスト端末装置のみ選択され，該選択されたホスト端末装置からの画像データのみを前記サーバーより収集して表示することを特徴とする画像表示システム。
【請求項４】
請求項１において，
前記３次元空間位置に対応付けられる画像データを，視点座標からの距離に応じて表示される画像の大きさが異なるように表示することを特徴とする画像表示システム。
【請求項５】
請求項１において，
前記画像データの３次元空間位置ヘの対応付けは，ホスト端末装置毎に対応する遊技者の画像を前記仮想３次元空間の視点座標において行なうことを特徴とする画像表示システム。
【請求項６】
請求項１において，
前記複数のホスト端末装置の１つを特定することにより，該特定されたホスト端末装置を利用する前記画面上に表示される遊戯者の画像を拡大し，表示することを特徴とする画像表示システム。
【請求項７】
請求項６において，
遊戯者によって特定された第１のホスト端末装置からの静止画像，及び，遊戯者の操作する第２のホスト端末装置の静止画像，及び，遊戯者によって選択された一のフレーム画面画像とを合成して，画像データファイルを生成することを特徴とする画像表示システム。
【請求項８】
請求項７において，
前記第１のホスト端末装置を利用する第１の遊戯者の静止画像を前記一のフレーム画面画像とを合成し，前記第２のホスト端末装置を利用する第２の遊戯者の動画像を前記一のフレーム画面画像内を移動して表示することにより，前記第１及び第２の遊戯者の画像の前記一のフレーム画面画像内での位置決めを可能とすることを特徴とする画像表示システム。
【請求項９】
それぞれ撮像装置を備える複数のホスト端末装置と，該複数のホスト端末装置と接続され，前記複数のホスト端末装置の属性を登録するサーバーを有する画像表示システムにおける，前記複数のホスト端末装置であって，前記複数のホスト端末装置の各々は，
前記撮像装置で撮像される画像データを前記サーバーに送出し，他のホスト端末装置から送出される画像データを前記サーバーより所定周期で収集し，
該収集される画像データを前記サーバーに登録された前記複数のホスト端末装置の属性に従って仮想３次元空間に配置し，前記仮想３次元空間を２次元面に投影して得られる２次元画面上の対応位置に表示するように構成され，
更に，前記所定周期は，前記収される画像データの前記仮想３次元空間に配置される位置または大きさに対応して変更される，
ことを特徴とするホスト端末装置。
【請求項１０】
それぞれ撮像装置を備える複数のホスト端末装置と，該複数のホスト端末装置と接続され，前記複数のホスト端末装置の属性を登録するサーバーを有する画像表示システムにおける，前記サーバーであって，
前記複数のホスト端末装置の各々から送出される画像データを所定周期で収集し，
前記収集される画像データを登録された前記複数のホスト端末装置の属性に従って仮想３次元空間に配置し，前記仮想３次元空間を２次元面に投影して得られる２次元画面上の対応位置に表示するように構成され，
更に，前記所定周期が，前記収される画像データの前記仮想３次元空間に配置される位置または大きさに対応して変更される，
ことを特徴とするサーバー。
【請求項１１】
それぞれ撮像装置を備える複数のホスト端末装置と，該複数のホスト端末装置と接続され，前記複数のホスト端末装置の属性を登録するサーバーを有する画像表示システムにおいて実行されるプログラムを格納した記録媒体であって，
前記プログラムは，前記複数のホスト端末装置の各々に対し，前記撮像装置で撮像される画像データを前記サーバーに送出させ，
前記サーバーに，他のホスト端末装置から送出される画像データを所定周期で収集させ，
該収集される画像データを前記サーバーに登録された前記複数のホスト端末装置の属性に従って仮想３次元空間に配置し，前記仮想３次元空間を２次元面に投影して得られる２次元画面上の対応位置に表示させ，
更に，前記所定周期を，前記収される画像データの前記仮想３次元空間に配置される位置または大きさに対応して変更する様に制御する，
ことを特徴とする画像表示システムにおいて実行されるプログラムを格納した記録媒体。
【手続補正２】
【補正対象書類名】明細書
【補正対象項目名】０００５
【補正方法】変更
【補正の内容】
【０００５】
そして，かかる目的を達成する本発明に従う画像表示システムの基本構成は，それぞれ撮像装置を備える複数のホスト端末装置と，該複数のホスト端末装置と接続され，前記複数のホスト端末装置の属性を登録するサーバーを有し，前記複数のホスト端末装置の各々は，前記撮像装置で撮像される画像データを前記サーバーに送出し，他のホスト端末装置から送出される画像データを前記サーバーより所定周期で収集し，該収集される画像データを前記サーバーに登録された前記複数のホスト端末装置の属性に従って仮想３次元空間に配置し，前記仮想３次元空間を２次元面に投影して得られる２次元画面上の対応位置に表示するように構成され，更に，前記所定周期は，前記収集される画像データの前記仮想３次元空間に配置される位置または大きさに対応して変更されることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００８
【補正方法】変更
【補正の内容】
【０００８】
さらに，上記発明の目的を達成する好ましい一態様は，前記複数のホスト端末装置の各々は，前記画面上でグループを特定することにより，当該グループに属するホスト端末装置のみ選択され，該選択されたホスト端末装置からの画像データのみを前記サーバーより収集して表示することを特徴とする。
【手続補正５】
【補正対象書類名】明細書
【補正対象項目名】０００９
【補正方法】削除
【補正の内容】
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
さらに，上記発明の目的を達成する好ましい一態様は，遊戯者によって特定された第１のホスト端末装置からの静止画像，及び，遊戯者の操作する第２のホスト端末装置の静止画像，及び，遊戯者によって選択された一のフレーム画面画像とを合成して，画像データファイルを生成することを特徴とする。
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００２５
【補正方法】変更
【補正の内容】
【００２５】
遊戯者は，任意のホスト端末装置に座し，制御装置１２０の登録カード受け入れ口１２４に前記の登録カードを挿入する。これにより，遊戯者と，当該遊戯者の使用するホスト端末装置との対応関係が登録される。この対応関係は，サーバー１０において先の受け付け登録時の遊戯者データと共に格納される。
【手続補正１４】
【補正対象書類名】明細書
【補正対象項目名】００２７
【補正方法】変更
【補正の内容】
【００２７】
複数のホスト端末装置１２，１３，…２２，２３は，それぞれカメラ１２３により，自端末装置に座している遊戯者の像を撮像し，画像データを生成している。この生成された画像データは，音声データと共にパケット化されて自遊戯施設内のＬＡＮを経由して他の遊戯施設にも送出されている。このパケットには，上記の遊戯者データが対応する画像及びマイク１２８から入力される音声データと共に搭載される。
【手続補正１５】
【補正対象書類名】明細書
【補正対象項目名】００３７
【補正方法】変更
【補正の内容】
【００３７】
さらに，ホスト端末装置において，遊戯者がキーボード１２２などで指示することにより，図３において説明した視点ＥＰを遊戯者の指示する座標の向きに移動変化させるように制御してもよい。これにより，視点ＥＰが移動することにより，これに対応してディスプレイ１２１に表示される３次元空間の画像も変化する。
【手続補正１６】
【補正対象書類名】明細書
【補正対象項目名】００４７
【補正方法】変更
【補正の内容】
【００４７】
図１に戻り，図７に示すＴＶ電話通信のその後の動作フローを参照して説明する。今，遊技施設２のホスト端末装置２２において，上記のように画面上でタッチ指定により画像が指定される場合（処理工程Ｐ１），該当する遊技施設１のホスト端末装置１２に座す遊技者の画像データと共にＴＶ電話要求がサーバー１０に送られる（処理工程Ｐ２）。
【手続補正１７】
【補正対象書類名】明細書
【補正対象項目名】００４８
【補正方法】変更
【補正の内容】
【００４８】
サーバー１０は，いずれの遊戯者間でＴＶ電話通信を行なっているかをデータ管理している。したがって，ＴＶ電話要求が送られたホスト端末装置１２に座す相手遊戯者が既にＴＶ電話通信中あるいは，他の事情によりビジー状態であるか否かを判定する（処理工程P３）。
【手続補正１８】
【補正対象書類名】明細書
【補正対象項目名】００５１
【補正方法】変更
【補正の内容】
【００５１】
そして，当該遊技者は，ＴＶ電話通信要求データを送った遊技者とのＴＶ電話通信が受けられる場合はその旨を，ＴＶ電話通信要求を拒否する場合はその旨を，サーバー１０を経由して，ＴＶ電話通信要求データを送った遊技者のホスト端末装置２２に返送する（処理工程P４）。
【手続補正１９】
【補正対象書類名】明細書
【補正対象項目名】００５３
【補正方法】変更
【補正の内容】
【００５３】
図７に戻り，処理工程Ｐ７における判断において，ＴＶ電話通信要求を拒否する場合は，サーバー１０経由でＴＶ電話不能通知がホスト端末装置２２に送られる。
【手続補正２０】
【補正対象書類名】明細書
【補正対象項目名】００５４
【補正方法】変更
【補正の内容】
【００５４】
ＴＶ電話通信要求を受ける場合は，その旨がホスト端末装置２２に送られると共に，サーバー１０の制御により，ソケット通信を可能とする回線を確立させ，ＴＶ電話通信要求者及び要求相手の画像，音声及び遊技者データの送信の周期を最優先に設定する（処理工程Ｐ８）。